(57)【要約】【課題】成形金型抜き用の円筒開口に底栓を、堅牢に溶着固定したエアトラップ室付きプラスチック成型品の提供を目的とする。【解決手段】上記目的は、成形金型抜き用の円筒開口２をプラスチック製の底栓３で密閉してなるエアトラップ室付きプラスチック成型品において、底栓３を、円筒開口２に嵌合する有底筒状栓本体４と、有底筒状栓本体４に形成した嵌合係止する係止突起体５と、係止突起体５の周囲に形成した補強リブ６と、有底筒状栓本体４の開口端周囲に形成されて溶着固定部となるフランジ部７とから構成し、その底栓３を回転ドライバーの先端に係止突起体５を利用して嵌合係止させた後、その底栓３を高速回転させつつ円筒開口２にフランジ部７を圧接させることにより、フランジ部７を円筒開口２に溶着固定させることで、達成できる。【選択図】      図２
2004237474.tif 000002
【特許請求の範囲】
【請求項１】
成形金型抜きのための円筒開口を有し、この円筒開口をプラスチック製の底栓で密閉してなるエアトラップ室付きプラスチック成型品において、前記底栓を、前記円筒開口に嵌合する有底筒状栓本体と、この有底筒状栓本体を回転ドライバーによって回転させるために前記有底筒状栓本体を前記回転ドライバーに着脱自在に連結する連結部と、前記円筒開口に回転圧接して溶着固定する回転圧接部と、この回転圧接部の溶融深さを規制する規制部とから少なくとも構成し、前記回転ドライバーにより前記底栓の前記回転圧接部を回転させつつ前記円筒開口に圧接させることで、前記回転圧接部分が溶融して前記規制部が前記円筒開口に接触するようになり前記回転ドライバーに加えられる回転トルクが急増したときに、前記回転ドライバーの回転を停止させることよって、前記底栓を前記円筒開口に溶着固定させてなることを特徴とするエアトラップ室付きプラスチック成型品。
【請求項２】
前記回転圧接部を、前記有底筒状栓本体の開口端周囲に形成されたテーパーフランジ部とし、しかも、前記規制部を、前記テーパーフランジ部から外方に延びる平坦フランジ部とするとともに、前記連結部を、有底筒状栓本体内に形成された係止突起体とし、しかも、この係止突起体の周囲に補強リブ形成したことを特徴とする請求項１記載のエアトラップ室付きプラスチック成型品。
【請求項３】
請求項１乃至請求項２記載のプラスチック成型品をエアトラップ用本体ケースとし、そのエアトラップ用本体ケースを具備してなることを特徴とする洗濯機。
【請求項４】
請求項１乃至請求項２記載のプラスチック成型品を水受け槽と一体に形成し、その水受け槽を具備してなることを特徴とする洗濯機。
【請求項５】
成形金型抜きのための円筒開口が形成されたエアトラップ室を有するプラスチック製の水受け槽と、この円筒開口を密閉するプラスチック製の底栓とを備えた洗濯機であって、前記底栓には、前記水受け槽の外周底部に部品を取り付けるための回転ドライバーが着脱自在に連結可能な連結部と前記円筒開口に回転圧接して溶着固定する回転圧接部とこの回転圧接部の溶融深さを規制する規制部とを設けて、前記回転ドライバーにより、前記底栓を高速回転させつつ前記円筒開口に圧接させることで、その回転圧接部分を溶融させて前記規制部が前記円筒開口に接触するようになり前記回転ドライバーに加えられる回転トルクが急増したときに、前記回転ドライバーの回転を停止させることよって、前記底栓と前記円筒開口を溶着固定させてなることを特徴とする洗濯機。
【請求項６】
ベースと、このベース上に立設した支持部材と、この支持部材に上下移動可能に設けた回転ドライバーと、エアトラップ室付きプラスチック成型品の円筒開口を上向きに、かつ、そのプラスチック成型品の円筒開口が移動若しくは回動しないように前記プラスチック成型品を所定の場所に設置するための設置手段とを備え、前記円筒開口に取り付けられる底栓の回転圧接部を、前記回転ドライバーによって回転させながら圧接させることにより溶融させることで、前記底栓の規制部が前記円筒開口に接触するようになり前記回転ドライバーに加えられる回転トルクが急増したときに、前記回転ドライバーの回転を停止させることよって、前記底栓を前記円筒開口端に溶着固定させることを特徴とするエアトラップ室付きプラスチック成型品の溶着固定装置。
【請求項７】
成形金型抜きのための円筒開口を有するエアトラップ室付きプラスチック成型品を、その円筒開口を上向き状態に、かつ、その円筒開口の中心と回転ドライバーの先端の回転中心とを略一致させた状態に設置する設置工程と、設置工程終了後、回転ドライバーに有底筒状の底栓を保持させる保持工程と、その保持工程終了後、回転ドライバーを下降させてその回転ドライバーに保持させた底栓を円筒開口に嵌合させる嵌合工程、その嵌合工程終了後、さらに回転ドライバーを下降させつつ高速回転させることにより、底栓と円筒開口との回転圧接部分を溶融させる溶融工程、その後、溶融工程を引き続き実行して前記底栓の規制部が前記円筒開口に接触するようになり前記回転ドライバーに加えられる回転トルクが急増したときに、前記回転ドライバーの回転を自動的に停止させて溶融した回転圧接部分を硬化させることにより底栓と円筒開口を溶着固定させる溶着固定工程と、回転ドライバーを上方に移動させて円筒開口に溶着固定した底栓と回転ドライバーとを切り離す工程とからなるエアトラップ室付きプラスチック成型品の溶着固定方法。
【発明の詳細な説明】
【０００１】
【発明の属する技術分野】
本発明は、エアトラップ室付きプラスチック成型品及びそのプラスチック成型品を備えた洗濯機並びにエアトラップ室付きプラスチック成型品の溶着固定装置及び溶着固定方法に関するものである。
【０００２】
【従来の技術】
従来、量産品である洗濯機の水受け槽などのように、成形金型抜きのための円筒開口を有し、この円筒開口をプラスチック製のキャップ（以下、底栓という）で密閉したエアトラップ室付きプラスチック成型品においては、そのプラスチック製の円筒開口に底栓を密閉するようにしていた（例えば、特許文献１参照）。
【０００３】
なお、開口を有し、この開口部分をプラスチック製の蓋体部で密閉したプラスチック成型品としては、ラジエータが知られており、そのラジエータの蓋体部を開口部分に溶着固定するものが知られていた（例えば、特許文献２参照）。また、プラスチック成型品の溶着固定装置及び溶着固定方法としては、プラスチック製の本管にプラスチック製の分岐管を接合するのに、分岐管の鍔部を本管の外周面に圧接した状態で、分岐管を回転させることにより摩擦熱で分岐管と本管とを溶着固定するようにしたものが知られていた（例えば、特許文献３参照）。
【０００４】
【特許文献１】
特開平５−１５６９０号公報（２頁右段の４１行〜５０行、図１）
【特許文献２】
特開２００２−２０１９４３号公報（４頁左段の４行〜２５行）
【特許文献３】
特開２００２−１１７９２号公報（３頁の左段８行〜右段２０行）
【０００５】
【発明が解決しようとする課題】
上記洗濯機の水受け槽などのように、成形金型抜きのための円筒開口を有し、この円筒開口をプラスチック製の底栓で密閉したエアトラップ室付きプラスチック成型品においては、底栓を円筒開口に接着剤で水密的に取り付けるようしていた。そのため、底栓が円筒開口に確実に取り付けられるようにするには、接着剤が硬化するまでの十数時間の間は、プラスチック成型品を放置しておかなければならず、生産性が悪かった。また、プラスチック成型品の材質がポリプロピレンの場合には、底栓と円筒開口を、接着剤で堅牢に接着することが難しく、長期間、底栓と円筒開口とを水密的に一体化しておくことが困難であるという問題があった。また、接着剤の塗りむらがあると底栓と円筒開口とが水密状態に取り付けられず、プラスチック成型品が不良品となってしまうので、接着剤による底栓と円筒開口との取り付け作業は、初心者には難しいという問題があった。
【０００６】
しかも、エアトラップ室を一体的に成形したプラスチック製の水受け槽を有する洗濯機においては、水受け槽の外周底部に各種の部品を回転ドライバーでねじ止め作業をしなければならないとともに、エアトラップ室の円筒開口に底栓を接着剤で接着させる接着作業をしなければならない。ところが、エアトラップ室の円筒開口に底栓を接着剤で接着させてから接着剤が硬化するまでの十数時間の間は、水受け槽をそのまま放置しておかなければならない。そのために、ねじ止め作業などの洗濯機組み立ての一連の流れ作業に、エアトラップ室の円筒開口に底栓を接着剤で接着させる接着作業を組み込むことができず、生産性の向上が図れないという問題があった。
【０００７】
さらに、上記特開２００２−２０１９４３号公報の明細書においては、ラジエータの蓋体部を開口部分の円環状の溶着固定部にスピン溶着固定すること、並びに、その蓋体部を、開口部分を閉塞する円板状の閉塞部と、この閉塞部の外周側に設けられ、かつ、開口部分の周囲に設けられた溶着固定部にスピン溶着固定された円環状の被溶着固定部とから形成することが記載されているのみであって、蓋体部を開口部分にどのようにしてスピン溶着固定するのかが全く不明である。しかも、上記特開２００２−２０１９４３号公報の実施例の図面では、いずれも、蓋体部が開口部分にスピン溶着固定された状態の断面図を示しているにすぎず、これら図面をみても、どのようにして、開口部分の円環状の溶着固定部と蓋体部の円環状の被溶着固定部とをスピン溶着固定させたのかが全く不明である。
【０００８】
さらに、上記特開２００２−１１７９２号公報記載のプラスチック成型品の溶着固定装置及び溶着固定方法にあっては、分岐管の下端に形成してなる鍔部を本管の外周面に圧接させた状態とし、その状態で分岐管を回転させることによって、特開２００２−１１７９２号公報の図２に示すように、鍔部を本管の外周面内に溶融させることで、分岐管と本管とを溶着固定させるようにしている。ところが、上記特開２００２−１１７９２号公報記載のプラスチック成型品の溶着固定装置及び溶着固定方法では、分岐管の鍔部の溶融深さを規制する手段がないために、分岐管の鍔部の溶融深さ、すなわち、分岐管の鍔部の本管への埋設深さがバラツキやすく、常に安定した溶着固定状態がえられないという問題があった。
【０００９】
本発明の第一目的は、上述した従来技術における実状からなされたもので、初心者でも難なく、成形金型抜きのための円筒開口に底栓を堅牢に取り付けることが可能となり、生産性に優れたエアトラップ室付きプラスチック成型品を提供することにある。
【００１０】
本発明の第二目的は、上述した従来技術における実状からなされたもので、エアトラップ室の円筒開口に底栓を取り付ける作業を洗濯機組み立ての一連の流れ作業に組み込むことを可能にするエアトラップ室を一体成形したエアトラップ室用本体ケース若しくは水受け槽を有する洗濯機を提供することにある。
【００１１】
本発明の第三目的は、水受け槽の外周底に部品を取り付ける回転ドライバーで、エアトラップ室の円筒開口に底栓を取り付けることを可能にした洗濯機を提供することにある。
【００１２】
本発明の第四目的は、上述した従来技術における実状からなされたもので、成形金型抜き用の円筒開口に、プラスチック製の底栓を、初心者であっても、難なく取り付けることを可能にしたエアトラップ室付きプラスチック成型品の溶着固定装置を提供することにある。
【００１３】
本発明の第五目的は、上述した従来技術における実状からなされたもので、プラスチック成型品の円筒開口にプラスチック製の底栓を、初心者であっても、堅牢に短時間で取り付けることを可能にしたエアトラップ室付きプラスチック成型品の溶着固定方法を提供することにある。
【００１４】
【課題を解決するための手段】
上記第一目的は、成形金型抜きのための円筒開口を有し、この円筒開口をプラスチック製の底栓で密閉してなるエアトラップ室付きプラスチック成型品において、前記底栓を、前記円筒開口に嵌合する有底筒状栓本体部と、この有底筒状栓本体部を回転ドライバーによって回転させるために前記有底筒状栓本体を前記回転ドライバーに着脱自在に連結する連結部と、前記円筒開口に回転圧接して溶着固定する回転圧接部と、この回転圧接部の溶融深さを規制する規制部とから少なくとも構成し、前記回転ドライバーにより前記底栓の前記回転圧接部を回転させつつ前記円筒開口に圧接させることで、前記回転圧接部分が溶融して前記規制部が前記円筒開口に接触するようになり前記回転ドライバーに加えられる回転トルクが急増したときに、前記回転ドライバーの回転を停止させることよって、前記底栓を前記円筒開口に溶着固定させる構成によって、達成できる。
【００１５】
上記第二目的は、成形金型抜きのための円筒開口を有し、この円筒開口をプラスチック製の底栓で密閉したエアトラップ室を一体形成したエアトラップ室用本体ケース若しくは水受け槽を有する洗濯機において、前記底栓には、回転ドライバーが着脱自在に連結可能な連結部と前記円筒開口に回転圧接して溶着固定する回転圧接部とこの回転圧接部の溶融深さを規制する規制部とを設けて、前記回転ドライバーにより、前記底栓を高速回転させつつ前記円筒開口に圧接させることで、その回転圧接部分を溶融させて前記規制部が前記円筒開口に接触するようになり前記回転ドライバーに加えられる回転トルクが急増したときに、前記回転ドライバーの回転を停止させることよって、前記底栓と前記円筒開口を溶着固定させる構成によって、達成できる。
【００１６】
上記第三目的は、成形金型抜きのための円筒開口が形成されたエアトラップ室を有するプラスチック製の水受け槽と、この円筒開口を密閉するプラスチック製の底栓とを備えた洗濯機であって、前記底栓には、前記水受け槽の外周底部に部品を取り付けるための回転ドライバーが着脱自在に連結可能な連結部と前記円筒開口に回転圧接して溶着固定する回転圧接部とこの回転圧接部の溶融深さを規制する規制部とを設けて、前記回転ドライバーにより、前記底栓を高速回転させつつ前記円筒開口に圧接させることで、その回転圧接部分を溶融させて前記規制部が前記円筒開口に接触するようになり前記回転ドライバーに加えられる回転トルクが急増したときに、前記回転ドライバーの回転を停止させることよって、前記底栓と前記円筒開口を溶着固定させる構成によって、達成できる。
【００１７】
上記第四目的は、ベースと、このベース上に立設した支持部材と、この支持部材に上下移動可能に設けた回転ドライバーと、エアトラップ室付きプラスチック成型品の円筒開口を上向きに、かつ、そのプラスチック成型品の円筒開口が移動若しくは回動しないように前記プラスチック成型品を所定の場所に設置するための設置手段とを備え、前記円筒開口に取り付けられる底栓の回転圧接部を、前記回転ドライバーによって回転させながら圧接させることにより溶融させることで、前記底栓の規制部が前記円筒開口に接触するようになり前記回転ドライバーに加えられる回転トルクが急増したときに、前記回転ドライバーの回転を停止させることよって、前記底栓を前記円筒開口端に溶着固定させる構成としたエアトラップ室付きプラスチック成型品の溶着固定装置によって、達成できる。
【００１８】
上記第五目的は、成形金型抜きのための円筒開口を有するエアトラップ室付きプラスチック成型品を、その円筒開口を上向き状態に、かつ、その円筒開口の中心と回転ドライバーの先端の回転中心とを略一致させた状態に設置する設置工程と、設置工程終了後、回転ドライバーに有底筒状の底栓を保持させる保持工程と、その保持工程終了後、回転ドライバーを下降させてその回転ドライバーに保持させた底栓を円筒開口に嵌合させる嵌合工程、その嵌合工程終了後、さらに回転ドライバーを下降させつつ高速回転させることにより、底栓と円筒開口との回転圧接部分を溶融させる溶融工程、その後、溶融工程を引き続き実行して前記底栓の規制部が前記円筒開口に接触するようになり前記回転ドライバーに加えられる回転トルクが急増したときに、前記回転ドライバーの回転を自動的に停止させて溶融した回転圧接部分を硬化させることにより底栓と円筒開口を溶着固定させる溶着固定工程と、回転ドライバーを上方に移動させて円筒開口に溶着固定した底栓と回転ドライバーとを切り離す工程とからなるエアトラップ室付きプラスチック成型品溶着固定方法によって、達成できる。
【００１９】
【発明の実施の形態】
以下、本発明のエアトラップ室付きプラスチック成型品並びにそのプラスチック成型品の溶着固定装置及び溶着固定方法の一実施例を、図１〜図９に基づいて説明する。
【００２０】
図１及び図２に示すプラスチック成型品は、エアトラップ用本体ケース１であり、ポリプロピレン製である。エアトラップ用本体ケース１は、細長状のエアトラップ室用筒体１Ａと、このエアトラップ室用筒体１Ａの側面に一体に設けられてエアトラップ室用筒体１Ａ内に連通させた連通用筒体１Ｂと、この連通用筒体１Ｂの自由端に一体に設けられた取り付けフランジ１Ｃと、エアトラップ室用筒体１Ａの一端側に形成されたエアホース用接続体１Ｄと、エアトラップ室用筒体１Ａの他端側に形成された成形金型抜きのための円筒開口２とを有し、その円筒開口２にプラスチック製の底栓３が溶着固定されている。エアトラップ用本体ケース１の円筒開口２の端部全周には、その円筒開口２の端部に底栓３のフランジ部７を溶着固定する際に、底栓３のフランジ部７を載置する載置フランジ部２Ａが形成されている。
【００２１】
エアトラップ用本体ケース１は、図３に示すように、連通用筒体１Ｂを取り付けフランジ１Ｃにより、洗濯槽等の水受け槽４０にねじ等で固定することによって、エアトラップ用本体ケース１内がその水受け槽４０に連通された状態で取り付けられるようにしてある。また、エアトラップ用本体ケース１は、連通用筒体１Ｂに連通された水受け槽４０に給水された水が所定水位になると、エアトラップ室筒体１Ｂ及びエアホース用接続体１Ｄに接続されたエアホース（図示せず）内の空気を押し上げてその空気の圧力で水位スイッチ（図示せず）のダイヤフラムが押されることにより電気接点がオフからオンに切り換えられて、例えば、洗濯機用モータを駆動させるとともに、水受け槽４０に給水された水を排水することで水受け槽４０内の水位を所定水位よりも低下させて水位スイッチのダイヤフラムにかかる空気の圧力を低下させることにより電気接点がオンからオフに切り換えられて、洗濯機用モータを停止させるために、用いられる。なお、図３において、符号４０‐１は、水受け槽４０内の水を排水するための排水口、符号４０−２は、水受け槽４０内とエアトラップ用本体ケース１のエアトラップ室用筒体１Ａ内とを連通させる連通口である。
【００２２】
底栓３は、図４及び図５に示すように、円筒開口２に嵌合する断面形状が略Ｕ字状の有底筒状栓本体４と、この有底筒状栓本体４の内底中央に形成された六角形状の嵌合穴を有する係止突起体５と、この係止突起体５から周囲に放射状に延びる複数個の補強リブ６と、有底筒状栓本体４の開口端全周に形成されて溶着固定部となるフランジ部７とから構成されている。係止突起体５は、底栓３を回転ドライバー８によって高速回転（約１２００回転／分）させるために、有底筒状栓本体４を回転ドライバー８に着脱自在に連結する連結部としての機能を有している。
【００２３】
フランジ部７は、有底筒状栓本体４の開口端周囲に形成されて円筒開口２に回転圧接することにより溶融して溶着固定する回転圧接部となるテーパーフランジ部７Ａと、このテーパーフランジ部７Ａから外方に延びてテーパーフランジ部７Ａの溶融深さを規制する規制部となる平坦フランジ部７Ｂとからなっている。有底筒状栓本体４の外径は、円筒開口２の内径よりも僅かに小さく設定してある。円筒開口２の載置フランジ部２Ａの外周径は、有底筒状栓本体４の平坦フランジ部７Ｂの外周径と等しいかやや大きく設定してある。底栓３を構成するところの有底筒状栓本体４と係止突起体５と補強リブ６とフランジ部７は、上下２個の型を用いて一体的に成形加工される。底栓３を形成する材質は、円筒開口２を形成する材質と溶融温度が同一若しくは近い材質とし、例えば、ポリプロピレンとしてある。底栓３は、最大径約４３ｍｍ×高さ約２２ｍｍの大きさに、かつ、５ｇ程度の重量に設定されている。
【００２４】
次に、エアトラップ用本体ケース１の円筒開口２に底栓３に溶着固定させる底栓溶着固定作業に使用する溶着固定装置９の一例を説明する。
【００２５】
溶着固定装置９は、図６に示すように、鋼板製のベース１０と、このベース１０上に立設した鋼材製の支持部材１１と、この支持部材１１に上下移動可能に設けた回転ドライバー８と、エアトラップ用本体ケース１の円筒開口２を上向きに、かつ、そのエアトラップ用本体ケース１の円筒開口２が回動しないように保持するためにベース１０上に設置された鋼材製の受け冶具などからなる設置手段１２とからなっている。回転ドライバー８は、支持部材１１の裏面側に設置されたエアーシリンダーにより、支持部材１１の表側に設けた一対のレール１３に沿って上下摺動する上下摺動台１４に固定されている。設置手段１２は、エアトラップ室本体ケース１の円筒開口２に底栓３が押圧させた状態でその底栓３が回転ドライバー８により高速回転した際に、エアトラップ用本体ケース１が回転したり、あるいは左右前後に移動したりしないようにするものであって、ベース１０に固定されている。
【００２６】
回転ドライバー８は、高速回転約１２００回転／分以上の高速回転が可能な電動ドライバー若しくはエアードライバーが用いられており、回転トルクが予め設定した設定トルクＮ１に達すると、その回転を自動的に停止させるようにしてある。すなわち、回転ドライバー８により、底栓３のテーパーフランジ部７Ａがエアトラップ本体ケース１の円筒開口２の載置フランジ部２Ａに圧接させた状態で底栓３を高速回転させると、テーパーフランジ部７Ａと載置フランジ部２Ａの回転圧接部分が溶融してやがて底栓３の平坦フランジ部７Ｂに円筒開口２の載置フランジ部２Ａが接触するようになり、回転ドライバー８に加えられる回転トルクが急増して所定の設定トルクＮ１に達するようになる。回転ドライバー８に加えられる回転トルクが設定トルクＮ１に達したならば、回転ドライバー８の駆動用電動機への通電を断ち回転ドライバー８の回転を停止させる。底栓３の平坦フランジ部７Ｂは、円筒開口２の載置フランジ部２Ａに接触することで、回転ドライバー８の回転が停止させられてテーパーフランジ部７Ａの溶融を止めるので、テーパーフランジ部７Ａの溶融深さＨを規制する機能を有している。
【００２７】
回転トルクとテーパーフランジ部７Ａの溶融深さとの関係は、図７に示すようになる。すなわち、図７において、溶融深さがＨ１に達するまでの間は、テーパーフランジ部７Ａの載置フランジ部２Ａに圧接している部分が、徐々に溶融して回転トルクがプラスチックの粘性のため徐々に増加する。テーパーフランジ部７Ａの載置フランジ部２Ａに圧接している部分が、溶融して底栓３の平坦フランジ部７Ｂが円筒開口２の載置フランジ部２Ａに接触するようになり、溶融深さがＨ１に達すると回転トルクが急激に増加する。底栓３の平坦フランジ部７Ｂが円筒開口２の載置フランジ部２Ａに接触した状態でテーパーフランジ部７Ａの回転を継続させると、平坦フランジ部７Ｂの裏面側も溶融して、図６に示すように、溶融深さがＨ２に達し、回転トルクが一気にＮ２となる。それ以後、溶融深さがＨ２を越えて進んでも、図６に示すように、回転トルクがＮ２で安定し、増加しない。したがって、回転トルクが急増する変曲点をＰ１とし、かつ、回転トルクが安定する変曲点をＰ２とすると、この変曲点Ｐ１に対応する回転トルクＮ０と変曲点をＰ２に対応する回転トルクＮ２との間の回転トルクを、回転ドライバー８の設定トルクＮ１とすれば、底栓３の平坦フランジ部７Ｂが円筒開口２の載置フランジ部２Ａに接触したときに、回転ドライバー８の回転を、確実に、かつ、自動的に、停止させることができる。本溶着固定装置９では、図７に示すように、変曲点Ｐ１に対応する回転トルクＮ０より大きい回転トルクを、回転ドライバー８の設定トルクＮ１としている。
【００２８】
回転ドライバー８の先端８Ａには、その先端８Ａに底栓３を保持するための金属製の保持部材１５が着脱可能に取り付けられている。保持部材１５は、図８に示すように、回転ドライバー８の先端８Ａに取り付けられる取り付け部１５Ａと、底栓３の係止突起体５に係止される断面形状が六角柱形状の嵌合突出部１５Ｂと、底栓３のフランジ部７の表面側に当接する当接部１５Ｃとからなっている。嵌合突出部１５Ｂは、その嵌合突出部１５Ｂの外周を、底栓３の係止突起体５の内周より僅かに小さくすることにより、その係止突起体５に嵌合させることができるように設定されている。
【００２９】
保持部材１５の嵌合突出部１５Ｂには、水平方向に係止用金属棒１６が圧入されている。係止用金属棒１６の両端を嵌合突出部１５Ｂの外周から外方にわずかに突出させているので、保持部材１５の嵌合突出部１５Ｂに、底栓３における六角形状の嵌合穴を有する係止突起体５を圧入すると、係止用金属棒１６の両端が係止突起体５の内壁に係止するため、回転ドライバー８の先端８Ａに保持部材１５を介して底栓３が保持される。
【００３０】
上記溶着固定装置９を用いて、比較的小さいプラスチック成型品の一例であるエアトラップ用本体ケース１の円筒開口２に底栓３に溶着固定させる底栓溶着固定作業をする場合は、次のような溶着固定方法により、行われる。
【００３１】
まず、エアトラップ用本体ケース１を、図６に示すように、円筒開口２を上向きにし、かつ、その円筒開口２の中心と回転ドライバー８の先端８Ａの回転中心とを略一致させた状態で、設置手段１２に設置する設置工程を実行させる。次に、設置工程を実行後、回転ドライバー８の先端８Ａに取り付けた保持部材１５の嵌合突出部１５Ｂに、底栓３を手に持って、底栓３の有底筒状栓本体４における係止突起体５を圧入することで、図８に示すように、底栓３を回転ドライバー８の先端８Ａに保持する保持工程を実行させる。次に、保持工程を実行後、回転ドライバー８を図９の矢印Ｘのごとく高速回転させるとともに、エアーシリンダーを作動させて回転ドライバー８を図９の矢印Ｙのごとく下降させて、その回転ドライバー８の先端に嵌合係止させた底栓３を、円筒開口２に嵌合させる嵌合工程を実行させる。次に、嵌合工程実行後、さらに回転ドライバーを下降させつつ高速回転させることにより、底栓３と円筒開口２との回転圧接部分、すなわち、底栓３のテーパーフランジ部７Ａと円筒開口２の載置フランジ部２Ａとの当接部分を溶融させる溶融工程を実行させる。次に、溶融工程を実行して、回転ドライバー８に加えられる回転トルクが急増する変曲点Ｐを越えて設定トルクＮ１になったとき、回転ドライバー８の回転を自動的に停止させて溶融した回転圧接部を硬化させることにより底栓３と円筒開口２を溶着固定させる溶着固定工程を実行させる。最後に、回転ドライバー８を上方に移動させて円筒開口２に溶着固定した底栓３と回転ドライバー８とを切り離す切り離し工程を実行させれば、エアトラップ用本体ケース１の円筒開口２に底栓３に溶着固定させる底栓溶着固定作業を、すべて終了させることができる。実験によると、設置工程から切り離し工程までの作業を、約３０秒以内に終了させることが可能であることがわかった。
【００３２】
上記保持工程では、作業者が底栓３を手に持って保持部材１５の嵌合突出部１５Ｂに底栓３の係止突起体５を圧入するようにしたので、保持部材１５に底栓３が簡単に保持されて自然落下することなく、回転ドライバー８に底栓３が連結された状態を確実に保持させることができる。また、上記嵌合工程では、底栓３が、有底筒状栓本体４により案内されて、エアトラップ用本体ケース１の円筒開口２に円滑に嵌合されるとともに、底栓３が円筒開口２に傾いた状態で嵌合されることがなく、テーパーフランジ部７Ａの全周を同じ高さで載置フランジ部２Ａに当接させることができる。
【００３３】
上記溶融工程では、その工程時間は極めて短時間であるとともに、テーパーフランジ部７Ａと円筒開口２との当接部分が摩擦熱により溶融した状態で底栓３が高速回転していても、有底筒状栓本体４の内底中央に形成された係止突起体５が複数個の補強リブ６により補強されているので、その係止突起体５が変形若しくは破損することがない。また、上記溶着固定工程において、回転ドライバー８の回転を停止させると、テーパーフランジ部７Ａと円筒開口２との当接部分が摩擦熱により溶融して、その溶融部分Ｗが瞬時に硬化して、図１０に示すように、テーパーフランジ部７Ａと円筒開口２の載置フランジ部２Ａとが、水密的に、かつ、堅牢に溶着固定される。しかも、上記溶融工程中及び上記溶着固定工程中は、保持部材１５の当接部１５Ｃによって、テーパーフランジ部７Ａ及び平坦フランジ部７Ｂの全体が円筒開口２の載置フランジ部２Ａに向って押し付けられているので、テーパーフランジ部７Ａと載置フランジ部２Ａとの当接部分の溶融と溶融後の溶着固定が確実に行われる。また、上記切り離し工程では、エアトラップ用本体ケース１を手で押さえて回転ドライバー８及び保持部材１５を上昇させるようにすれば、保持部材１５の嵌合突出部１５Ｂを、底栓３の係止突起体５から円滑に外すことができる。また、溶融部分Ｗが瞬時に硬化し、かつ、摩擦熱による底栓３部分の温度が急速に低下するので、溶着固定工程終了後、短時間で切り離し工程に移行させることが可能である。なお、エアトラップ用本体ケース１を手で押さえなくとも、回転ドライバー８及び保持部材１５を上昇させた際、エアトラップ用本体ケース１が設置手段１２から持ち上げられないように、その設置手段１２にエアトラップ用本体ケース１に圧入支持しておけば、保持部材１５の嵌合突出部１５Ｂを、底栓３の係止突起体５から円滑に外すことができる。
【００３４】
以上のように、一実施例によれば、テーパーフランジ部７Ａと円筒開口２の端縁の当接部分が摩擦熱により溶融した溶融部分の硬化時間は、短く、エアトラップ用本体ケース１への底栓３の取り付け作業を、従来に比べて大幅に短縮することができ、エアトラップ用本体ケース１への底栓３の取り付け作業終了後、続いて行われるエアトラップ用本体ケース１への他部品などの取り付け作業を行うことができるため、エアトラップ用本体ケース１への底栓３の取り付け作業を、流れ作業に組み込むことが可能になり、生産時間を、約十数時間短縮できる。また、平坦フランジ部７Ｂが、テーパーフランジ部７Ａの溶融深さを規制する規制部の働きをして、回転ドライバー８の回転が自動的に停止させられるので、常に安定した溶着固定状態がえられる。
【００３５】
さらに、上記一実施例によれば、接着剤を使用しないので、接着剤の管理が省けるとともに、接着剤の塗布量が多すぎて底栓３の有底筒状栓本体４と円筒開口２との隙間に接着剤が流れ込んだりあるいは接着剤の塗布むらによって底栓３のフランジ部７と円筒開口２の端縁との間に接着していない部分ができたりするなどの不具合がなくなる。また、上記一実施例によれば、エアトラップ用本体ケース１の円筒開口２及び底栓３がポリプロピレン製であっても、エアトラップ用本体ケース１の円筒開口２に底栓３のフランジ部７を、水密的に、かつ、堅牢に取り付けることができる。実験によると、従来の接着剤方式に比べて、約２倍の抜け強度がえられた。
【００３６】
さらに、上記一実施例によれば、溶着固定装置９によって、底栓３のテーパーフランジ部７Ａ全周と円筒開口２の載置フランジ部２Ａ全周が圧接された状態になり、底栓３のフランジ部７全周と円筒開口２の載置フランジ部２Ａ全周の当接部分が溶着固定して一体化されるので、底栓と円筒開口とが水密状態に取り付けられていない不良品を、皆無にすることが可能である。また、溶着固定装置９を用いて上記溶着固定方法で、エアトラップ用本体ケース１の円筒開口２に底栓３に溶着固定させる底栓溶着固定作業を行えば、作業者の技能に左右されることなく、初心者であっても、底栓３と円筒開口２とを水密状態に取り付ける作業を難なく行うことができる。
【００３７】
なお、上記一実施例の溶着固定装置９を用いた底栓付きプラスチック成型品溶着固定方法では、回転ドライバー８で高速回転させるとともに、エアーシリンダーを作動させて回転ドライバー８を下降させて、その回転ドライバー８の先端に嵌合係止させた底栓３を、プラスチック成型品の円筒開口２に嵌合させるようにしているが、プラスチック成型品の円筒開口２に底栓３を嵌合載置させた後に、その底栓３を回転ドライバー８で下降させつつ高速回転させるようにしてもよい。また、上記一実施例のプラスチック成型品では、エアトラップ用本体ケース１を取り付けフランジ１Ｃにより、洗濯槽等の水槽にねじ等で固定する構造としているが、これに限定されない。排水弁装置の排水弁ケースを、成形金型抜き用の円筒開口を形成したエアトラップ室付きプラスチック成型品とした場合にも、上記溶着固定装置９及び上記溶着固定方法を適用することができ、上記一実施例と同等の効果を奏しえる。また、上記一実施例のテーパーフランジ部７Ａは、図４などに示すように、有底筒状栓本体４及び平坦フランジ部７Ｂと同じ厚さにして、そのテーパーフランジ部７Ａの裏側（下面）７Ａ‐１と表側（上側）７Ａ‐２を同じ角度で傾斜する形状としているが、これに限定されない。最初、テーパーフランジ部７Ａの裏側（下面）と円筒開口２の載置フランジ部２Ａの端縁を回転圧接させてその回転圧接部を溶融させ、その後、その回転圧接部分の溶融深さが所定値に達したならば、載置フランジ部２Ａが平坦フランジ部７Ｂに接触することで底栓３の回転を停止させて回転圧接部分の溶融深さが規制される形状になっていればよく、テーパーフランジ部７Ａの裏側（下面）のみが傾斜してテーパーフランジ部７Ａの表側（上側）７Ａ‐２を傾斜させない形状であってもよい。
【００３８】
図１０から図１８は、本発明の他実施例を示す。この図１１から図１９において、上記一実施例と同一符号は、同一内容を表している。図１１及び図１２は、本発明の他実施例その１を示す。図１３及び図１４は、本発明の他実施例その２を示す。図１５は、本発明の他実施例その３を示す。図１６及び図１７は、本発明の他実施例その４を示す。図１８は、本発明の他実施例その５を示す。図１９は、本発明の他実施例その６を示す。
【００３９】
本発明の他実施例その１の底栓１７は、図１１及び図１２に示すように、有底筒状栓本体４と、この有底筒状栓本体４の開口端周囲に形成され、かつ、プラスチック成型品の円筒開口２の載置フランジ部２Ａに載置される平坦フランジ部１８と、この平坦フランジ部１８の裏面側に形成した溶着固定部となる溶着固定リブ１９と、有底筒状栓本体４の内底に形成されたマイナス溝２０Ａ付き係止突起体２０と、このマイナス溝２０Ａ付き係止突起体２０の外周から有底筒状栓本体４の開口端内壁及び有底筒状栓本体４の内底に向って延在する複数個の補強リブ２１とからなっている。マイナス溝２０Ａ付き係止突起体２０の外周形状は、図１０に示すように、六角形状としてある。補強リブ２１は、図１１に示すように、マイナス溝２０Ａ付き係止突起体２０の外周から放射状に、かつ、均等に、１２本が配置されている。
【００４０】
この他実施例その１では、上記一実施例の保持部材１５に換えて、マイナスドライバー状ビットを回転ドライバー８の先端８Ａに装着し、そのマイナスドライバー状ビットをマイナス溝２０Ａに嵌合させて円筒開口２の載置フランジ部２Ａに溶着固定リブ１９を圧接した状態で底栓１７を高速回転させることができ、しかも、溶着固定リブ１９が溶融して円筒開口２の載置フランジ部２Ａに、平坦フランジ部１８の裏面側が接触するようになれば、回転ドライバー８に加えられる回転トルクが設定トルクＮ１となり、回転ドライバー８が自動的に停止するので、溶着固定リブ１９と載置フランジ部２Ａが溶着固定して、底栓１７が円筒開口２に水密的に堅牢に取り付けられる。この場合、補強リブ２１をマイナス溝２０Ａ付き係止突起体２０の外周から有底筒状栓本体４の開口端内壁に向って延在させてあるので、平坦フランジ部１８が変形して載置フランジ部２Ａから離れることを防ぎ、平坦フランジ部１８の溶着固定リブ１９と載置フランジ部２Ａとの当接部分の溶融と溶融後の溶着固定を確実に行わせることができる。
【００４１】
本発明の他実施例その２の底栓２２は、図１３及び図１４に示すように、有底筒状栓本体４と、有底筒状栓本体４の開口端全周に平坦フランジ部２３と、有底筒状栓本体４の内底に形成されたプラス溝２４Ａ付き係止突起体２４と、このプラス溝２４Ａ付き係止突起体２４の外周から有底筒状栓本体４の内底に向って延在する複数個の補強リブ２５とからなっている。プラス溝２４Ａ付き係止突起体２４の外周形状は、図１３に示すように、六角形状としてある。複数個の補強リブ２５は、図１３に示すように、プラス溝２４Ａ付き係止突起体２４の外周から放射状に、かつ、均等に配置されている。また、本発明の他実施例その２では、図１４に示すように、円筒開口２の載置フランジ部２Ａの上面に溶着固定リブ２６を設けるようにしている。
【００４２】
この他実施例その２では、上記一実施例の保持部材１５に換えて、プラスドライバー状ビットを回転ドライバー８の先端８Ａに装着し、そのプラスドライバー状ビットをプラス溝２４Ａに嵌合させて底栓２２の平坦フランジ部２３を円筒開口２の載置フランジ部２Ａの溶着固定リブ２６に圧接した状態で底栓２２を高速回転させることができ、しかも、溶着固定リブ２６が溶融して底栓２２の平坦フランジ部２３が円筒開口２の載置フランジ部２Ａに接触するようになれば、回転ドライバー８に加えられる回転トルクが設定トルクＮ１となり、回転ドライバー８が自動的に停止するので、溶着固定リブ２６と平坦フランジ部２３が溶着固定して、底栓２２が円筒開口２に水密的に堅牢に取り付けられる。
【００４３】
本発明の他実施例その３の底栓２７は、図１５に示すように、有底筒状栓本体４と、有底筒状栓本体４の内底に形成されたマイナス溝２０Ａ付き係止突起体２０と、係止突起体２０から周囲に放射状に延びる複数個の補強リブ６と、有底筒状栓本体４の開口端全周に平坦フランジ部２３とからなっている。また、本発明の他実施例その３では、円筒開口２の載置フランジ部２Ａあるいは有底筒状栓本体４の平坦フランジ部２３を溶着固定部分とせずに、円筒開口２の内壁に段部２８を形成して、この段部２Ｂを有底筒状栓本体４の外周に溶着固定させるようにしている。そのために、有底筒状栓本体４の最下端隅部４Ａの表面形状を円弧状として、その最下端隅部４Ａが円筒開口２の内壁に形成された段部２８に当接するように、有底筒状栓本体４及び円筒開口２の大きさを設定してある。
【００４４】
この他実施例その３では、上記一実施例の保持部材１５に換えて、マイナスドライバー状ビットを回転ドライバー８の先端８Ａに装着し、そのマイナスドライバー状ビットをマイナス溝２０Ａに嵌合させて底栓２７の有底筒状栓本体４における最下端隅部４Ａが円筒開口２の内壁に形成された段部２８に圧接した状態で、底栓２７を高速回転させると、有底筒状栓本体４の最下端隅部４Ａと円筒開口２の段部２８とが摩擦熱で溶融するので、底栓２７が下降して、円筒開口２の載置フランジ部２Ａに平坦フランジ部２３が接触するようになれば、回転ドライバー８に加えられる回転トルクが設定トルクＮ１となり、回転ドライバー８が自動的に停止するため、有底筒状栓本体４の最下端隅部４Ａと円筒開口２の段部２８が溶着固定して、底栓２７が円筒開口２に水密的に堅牢に取り付けられる。
【００４５】
本発明の他実施例その４は、洗濯機におけるプラスチック製の水受け槽２９に応用した場合である。水受け槽２９には、図１６及び図１７に示すように、その水受け槽２９の外周にエアトラップ室３０を形成するためにプラスチック製のエアトラップ室用筒状壁３３が一体に成形させているとともに、エアトラップ室３０内と水受け槽２９内とを連通する連通口３１や水受け槽２９内の洗濯水を排出するための排水口３２が形成されている。エアトラップ室用筒状壁３３には、その一端側にエアホース用接続体３３Ａが形成され、かつ、その他端側に成形金型抜きのための円筒開口３３Ｂが形成されている。円筒開口３３Ｂには、上記一実施例の円筒開口２とは異なり、フランジ部が形成されていない。
【００４６】
エアトラップ室３０の円筒開口３３Ｂの端縁３３Ｃには、上記一実施例の底栓３が取り付けられる。すなわち、回転ドライバー８の先端８Ａに取り付けた保持部材１５の嵌合突出部１５Ｂに、底栓３の有底筒状栓本体４における係止突起体５を圧入させた後、回転ドライバー８を高速回転させつつ下降させれば、底栓３のテーパーフランジ部７Ａの裏面側が円筒開口３３Ｂの端縁３３Ｃに圧接した状態で、底栓２２が高速回転するので、テーパーフランジ部７Ａと円筒開口３３Ｂの端縁３３Ｃとの回転圧接部分が摩擦熱で溶融して、円筒開口３３Ｂの端縁３３Ｃに平坦フランジ部７Ｂが接触するようになれば、回転ドライバー８に加えられる回転トルクが設定トルクＮ１となり、回転ドライバー８が自動的に停止するので、テーパーフランジ部７Ａと端縁３３Ｃとの回転圧接部分が溶着固定するため、底栓３がエアトラップ室用筒状壁３３の円筒開口３３に水密的に取り付けられる。
【００４７】
上記他実施例その４では、回転ドライバー８の先端８Ａに取り付けた保持部材１５と、この保持部材１５に取り付けるための係止突起体５を備えた底栓３とを使用して、水受け槽２９におけるエアトラップ室用筒状壁３３の円筒開口３３を水密的に塞ぐようにしているが、これに限定されない。底栓３に換えて、図１１及び図１２に示す底栓１７あるいは図１３及び図１４に示す底栓２２を使用するようにすれば、水受け槽２９の外周底部に部品を取り付けるためのマイナスドライバー状ビット付き回転ドライバーあるいはプラスドライバー状ビット付き回転ドライバーで、エアトラップ室用筒状壁３３の円筒開口３３に底栓１７あるいは底栓２２を溶着固定させる底栓溶着固定作業を行うことが可能となる。したがって、水受け槽２９の外周底部に部品を取り付ける作業と底栓溶着固定作業を同一の回転ドライバーで行うことができるようになり、作業性が向上する。
【００４８】
本発明の他実施例その５の底栓３４は、図１８に示すように、有底筒状栓本体４の開口端全周に形成した平坦フランジ部３５の上面に、底栓３４を回転ドライバー８に着脱自在に連結するための連結部となる複数個の突出部３６を形成して、有底筒状栓本体４内にプラス溝２４Ａ付き係止突起体２４などの回転ドライバー８に着脱自在に連結するための連結部を設けない構造としたものである。また、本発明の他実施例その６の底栓３７は、図１９に示すように、有底筒状栓本体４の開口端全周に形成した平坦フランジ部３８の上面に、底栓３７を回転ドライバー８に着脱自在に連結するための連結部となる複数個の凹み部３９を形成して、有底筒状栓本体４内にプラス溝２４Ａ付き係止突起体２４などの回転ドライバー８に着脱自在に連結するための連結部を設けない構造としたものである。他実施例その５の底栓３４あるいは他実施例その６の底栓３７であっても、複数個の突出部３６あるいは複数個の凹み部３９を利用して底栓３４あるいは底栓３７を把持する把持具を設け、この把持具を回転ドライバーに連結するようにすれば、その回転ドライバーに底栓３４あるいは底栓３７を連結させることができるので、底栓３４の平坦フランジ部３５あるいは底栓３７の平坦フランジ部３８を、エアトラップ室付きプラスチック成型品における円筒開口２の載置フランジ部２Ａの溶着固定リブ２６に圧接した状態で底栓３４あるいは底栓３７を高速回転させることができ、しかも、溶着固定リブ２６が溶融して底栓３４の平坦フランジ部３５あるいは底栓３７の平坦フランジ部３８に円筒開口２の載置フランジ部２Ａが接触するようになれば、回転ドライバーに加えられる回転トルクが設定トルクＮ１となり、回転ドライバー８が自動的に停止するので、溶着固定リブ２６と平坦フランジ部３５あるいは平坦フランジ部３８が溶着固定して、底栓３４あるいは底栓３７がエアトラップ室付きプラスチック成型品の円筒開口２に水密的に堅牢に取り付けられる。
【００４９】
上記一実施例の溶着固定装置９では、エアトラップ室付きプラスチック成型品の円筒開口が移動若しくは回動しないようにそのプラスチック成型品を所定の場所に設置するための設置手段１２を設けているが、エアトラップ室付きプラスチック成型品の円筒開口２が回転ドライバー８による底栓３の回転で移動若しくは回動することのない重量のある水受け槽２９などの大型のプラスチック成型品にあっては、設置手段１２を省くことが可能である。また、上記一実施例では、溶着固定装置９の上下摺動台１４により、回転ドライバー８を自動的に上下動させるようにしているがこれに限定させない。上記一実施例の溶着固定装置９を用いずに、作業者が回転ドライバー８を手に持って、その回転ドライバー８の先端に保持した底栓３をエアトラップ室付きプラスチック成型品の円筒開口２に回転圧接させることにより、底栓３を円筒開口２に溶着固定させるようにしてもよい。
【００５０】
【発明の効果】
以上のように、本願の請求項１乃至２に係る発明によれば、初心者であっても、難なく、成形金型抜き用の円筒開口に底栓を、水密的に、かつ、堅牢に取り付けることができ、しかも、常に安定した溶着固定状態がえられる生産性の優れたエアトラップ室付きプラスチック成型品を初めて出現させることができた。
【００５１】
また、本願の請求項３乃至４に係る発明によれば、成形金型抜き用の円筒開口に底栓を水密状態に取り付ける作業を、洗濯機組み立ての一連の流れ作業に組み込むことを可能にした洗濯機を初めて出現させることができた。
【００５２】
また、本願の請求項５に係る発明によれば、水受け槽の外周底部に部品を取り付ける作業と底栓溶着固定作業を同一の回転ドライバーで行うことを可能にし、作業性を向上させることのできる洗濯機を初めて出現させることができた。
【００５３】
また、本願の請求項６に係る発明によれば、初心者であっても、成形金型抜き用の円筒開口と底栓とを水密状態に取り付ける作業を、難なく、しかも、短時間で取り付けることを可能にし、底栓の円筒開口への取り付け作業を、製品の流れ作業に組み込むことを可能にして生産性の大幅な向上を図りえるエアトラップ室付きプラスチック成型品の溶着固定装置を初めて出現させることができた。
【００５４】
また、本願の請求項７に係る発明によれば、初心者であっても、成形金型抜き用の円筒開口と底栓とを水密状態に取り付ける作業を、難なく行うことができるエアトラップ室付きプラスチック成型品の溶着固定方法を初めて出現させることが出来た。
【図面の簡単な説明】
【図１】本発明の一実施例を示し、エアトラップ用本体ケースの要部外観斜視図である。
【図２】本発明の一実施例を示し、一部破断してなるエアトラップ用本体ケースの要部外観斜視図である。
【図３】本発明の一実施例を示し、エアトラップ用本体ケースを水受け槽側壁に取り付けた状態における水受け槽の要部断面図である。
【図４】本発明の一実施例を示し、底栓の拡大斜視図である。
【図５】本発明の一実施例を示し、図４のＡ−Ａ断面斜視図である。
【図６】本発明の一実施例を示し、溶着固定装置の要部外観斜視図である。
【図７】本発明の一実施例を示し、回転トルクと溶融深さの関係特性図である。
【図８】本発明の一実施例を示し、回転ドライバーの先端に取り付けられた底栓を、エアトラップ用本体ケースの円筒開口に嵌合させる前の状態時の要部拡大断面図である。
【図９】本発明の一実施例を示し、回転ドライバーの先端を底栓の係止突起体に嵌合させて底栓のテーパーフランジ部がエアトラップ用本体ケースの円筒開口端縁に圧接された状態時の要部拡大断面図である。
【図１０】本発明の一実施例を示し、底栓のテーパーフランジ部とエアトラップ用本体ケースの円筒開口端縁との当接部分が摩擦熱により溶融して溶着固定した状態時の要部拡大断面図である。
【図１１】本発明の他実施例その１を示し、底栓がエアトラップ用本体ケースの円筒開口に嵌合した状態時の要部拡大上面図である。
【図１２】本発明の他実施例その１を示し、底栓がエアトラップ室本体ケースの円筒開口に嵌合した状態時の要部拡大断面図である。
【図１３】本発明の他実施例その２を示し、底栓がエアトラップ用本体ケースの円筒開口に嵌合した状態時の要部拡大上面図である。
【図１４】本発明の他実施例その２を示し、底栓がエアトラップ用本体ケースの円筒開口に嵌合した状態時の要部拡大断面図である。
【図１５】本発明の他実施例その３を示し、底栓がエアトラップ用本体ケースの円筒開口に嵌合した状態時の要部拡大断面図である。
【図１６】本発明の他実施例その４を示し、底栓を水受け槽の円筒開口に嵌合させた状態における水受け槽の要部断面図である。
【図１７】本発明の他実施例その４を示し、底栓が水受け槽の円筒開口に嵌合した状態時の要部拡大断面図である。
【図１８】本本発明の他実施例その５を示し、底栓がエアトラップ室付きプラスチック成型品の円筒開口に嵌合した状態時の要部拡大断面図である。
【図１９】本発明の他実施例その６を示し、底栓がエアトラップ室付きプラスチック成型品の円筒開口に嵌合した状態時の要部拡大断面図である。
【符号の説明】
１        エアトラップ用本体ケース
１Ａ      エアトラップ室用筒体
１Ｂ      連通用筒体
１Ｃ      取り付けフランジ
１Ｄ      エアホース用接続体
２        円筒開口
２Ａ      載置フランジ部
３        底栓
４        有底筒状栓本体
４Ａ      最下端隅部
５        係止突起体
６        補強リブ
７        フランジ部
７Ａ      テーパーフランジ部
７Ｂ      平坦フランジ部
８        回転ドライバー
８Ａ      回転ドライバーの先端
９        溶着固定装置
１０      ベース
１１      支持部材
１２      設置手段
１３      一対のレール
１４      上下摺動台
１５      保持部材
１５Ａ    取り付け部
１５Ｂ    嵌合突出部
１５Ｃ    当接部
１６      係止用金属棒
１７      底栓（他実施例その１）
１８      平坦フランジ部
１９      溶着固定リブ
２０      マイナス溝付き係止突起体
２０Ａ    マイナス溝
２１      補強リブ
２２      底栓（他実施例その２）
２３      平坦フランジ部
２４      プラス溝付き係止突起体
２４Ａ    プラス溝
２５      補強リブ
２６      溶着固定リブ
２７      底栓（他実施例その３）
２８      段部
２９      水受け槽（他実施例その４）
３０      エアトラップ室
３１      連通口
３２      排水口
３３      エアトラップ室用筒状壁
３３Ａ    エアホース用接続体
３３Ｂ    円筒開口
３３Ｃ    端縁
３４      底栓（他実施例その５）
３５      平坦フランジ部
３６      突出部
３７      底栓（他実施例その６）
３８      平坦フランジ部
３９      凹み部
４０      水受け槽
４０‐１  排水口
４０−２  連通口
【図１】
2004237474.tif 000003
【図２】
2004237474.tif 000004
【図３】
2004237474.tif 000005
【図４】
2004237474.tif 000006
【図５】
2004237474.tif 000007
【図６】
2004237474.tif 000008
【図７】
2004237474.tif 000009
【図８】
2004237474.tif 000010
【図９】
2004237474.tif 000011
【図１０】
2004237474.tif 000012
【図１１】
2004237474.tif 000013
【図１２】
2004237474.tif 000014
【図１３】
2004237474.tif 000015
【図１４】
2004237474.tif 000016
【図１５】
2004237474.tif 000017
【図１６】
2004237474.tif 000018
【図１７】
2004237474.tif 000019
【図１８】
2004237474.tif 000020
【図１９】
2004237474.tif 000021